(57)【要約】  【課題】表材と裏材とを重合させている床パネルにおいて、表材又は裏材の一方の強度が他方の強度と比べて低下する不具合の発生を抑えつつ建築床面の不陸にきめ細かく対応させてがたつきを効果的に抑える。  【解決手段】スリット２ｓを設けた表材２と、前記表材２のスリット２ｓと異なる位置にスリット３ｓを設けた裏材３とを重合させているとともに、前記表材２のスリット２ｓ及び前記裏材３のスリット３ｓに沿って変形することにより建築床面Ｆの不陸に沿って置き敷くことを可能にしている床パネル１を用意する。  【選択図】図２
2005133516.tif 000002
【特許請求の範囲】
【請求項１】
スリットを設けた表材と、前記表材のスリットの投影位置とは異なる位置にスリットを設けた裏材とを重合させているとともに、前記表材のスリット及び前記裏材のスリットに沿って変形することにより建築床面の不陸に沿って置き敷くことを可能にしていることを特徴とする床パネル。
【請求項２】
平面視方形状をなし、前記表材のスリットと前記裏材のスリットとを、ともに前記方形の互いに対向する辺及び／又は互いに隣接する辺を結ぶ線に沿って配置していることを特徴とする請求項１記載の床パネル。
【請求項３】
前記表材のスリットと前記裏材のスリットとのいずれか一方を互いに対向する辺の中点を結ぶ線に沿って配置しているとともに、他方を互いに隣接する辺の中点を結ぶ線に沿って配置していることを特徴とする請求項２記載の床パネル。
【請求項４】
前記表材のスリット及び前記裏材のスリットにより区成される各領域をそれぞれ支持可能に建築床面に接地する支持脚を設けているとともに、隅部に位置する前記支持脚の高さ寸法を他の支持脚の高さ寸法よりも大きくしていることを特徴とする請求項１、２又は３記載の床パネル。
【請求項５】
前記表材のスリット及び前記裏材のスリットにより区成される領域の隅部に前記支持脚を設けていることを特徴とする請求項４記載の床パネル。
【請求項６】
前記表材のスリットに沿って溝を前記裏材に形成していることを特徴とする請求項１、２、３、４又は５記載の床パネル。
【請求項７】
平面視方形状をなし、スリットを設けた表材と、前記表材のスリットの投影位置とは異なる位置にスリットを設けた裏材とを重合させていて、前記表材のスリット及び前記裏材のスリットに沿って変形することにより建築床面の不陸に沿って置き敷くことを可能にしているものであって、
前記表材のスリットと前記裏材のスリットとの少なくとも一方を、前記方形の互いに対向する辺及び／又は互いに隣接する辺を結ぶ線に沿って配置していることを特徴とする床パネル。
【請求項８】
平面視方形状をなし、スリットを設けた表材と、前記表材のスリットの投影位置に沿う位置にスリットを設けた裏材とを重合させていて、前記表材のスリット及び前記裏材のスリットに沿って変形することにより建築床面の不陸に沿って置き敷くことを可能にしていることを特徴とする床パネル。
【請求項９】
前記表材及び前記裏材のスリットを互いに対向する辺の中点を結ぶ線に沿って配置していることを特徴とする請求項８記載の床パネル。
【請求項１０】
前記表材及び前記裏材のスリットを互いに隣接する辺の中点を結ぶ線に沿って配置していることを特徴とする請求項８記載の床パネル。
【請求項１１】
前記表材及び前記裏材のスリットを互いに対向する辺の中点を結ぶ線及び互いに隣接する辺の中点を結ぶ線に沿って配置していることを特徴とする請求項８記載の床パネル。
【発明の詳細な説明】
【技術分野】
【０００１】
本発明は、二重床構造に好適に用いられる床パネルに関する。
【背景技術】
【０００２】
従来、二重床を構成する床パネルとして、平面視方形をなす一枚板状の表材と、この表材に密接し凹凸補強構造をなす裏材とを重合させて形成しているとともに、建築床面に接地する支持脚を隅部に固設しているものが用いられてきている。しかし、表材が一枚板状であるとともに、支持脚を隅部に固設している構造においては、建築床面に不陸が存在する場合にいずれかの支持脚が建築床面に接地しないことに起因するがたつきが生じる。そこで、近時、表材及び裏材を重合させて形成している床パネルにおいて、表材及び裏材の一方のみに分画開口部を形成し、この分画開口部に沿って変形することにより建築床面の不陸に沿って置き敷くことを可能にしているものが考えられている。（例えば特許文献１を参照。）
【特許文献１】特公平４−３５５８６号
【発明の開示】
【発明が解決しようとする課題】
【０００３】
しかして、建築床面の不陸に対応させてがたなく配置できる床パネルを実現するには、変形可能な箇所をできるだけ多く設け、床パネルを多数の領域に区成するとよい。ところが、特許文献１記載のように表材及び裏材の一方のみに前記分画開口部を形成する態様のものにおいて、前記分画開口部を多数設け、多数の領域に区成するようにしても、前記分画開口部を設けた側の表材又は裏材の強度が他方と比較して低下する。また、特許文献１記載の構成においては表材又は裏材を前記分画開口部により複数のピースに分割しているので、多数の領域に区成すると多数のピースに分割されるので、部品数の増加に伴い取り扱いがわずらわしいものとなるばかりか製造も困難なものになる。一方、このような不具合の発生を抑えるべく前記分画開口部の数を少なくすると床パネルとしての不陸に対する十分な追随性が得られない不具合が生じ得る。
【０００４】
本発明は、以上に述べたような課題を解決することを目的としている。
【課題を解決するための手段】
【０００５】
すなわち本発明に係る床パネルは、スリットを設けた表材と、前記表材のスリットの投影位置とは異なる位置にスリットを設けた裏材とを重合させているとともに、前記表材のスリット及び前記裏材のスリットに沿って変形することにより建築床面の不陸に沿って置き敷くことを可能にしていることを特徴とする。
【０００６】
このように構成することにより、前記表材のスリットに沿って床パネルが変形するとともに、前記裏材のスリットの位置でも床パネルが変形するので、床パネルが変形する箇所を増加させることができるとともに、表材及び裏材の一方に多数のスリットを設けて床パネルが変形する箇所を増加させる態様と比較して表材及び裏材に設けるスリットの箇所を少なくでき、表材及び裏材の剛性を偏りなく確保できる。すなわち、床パネル全体の剛性を損なうことなく建築床面の不陸にきめ細かく対応させてがたつきをより効果的に抑えることができる。なお、「前記表材のスリットの投影位置とは異なる位置にスリットを設けた裏材」とは、裏材のスリットの一部のみが表材のスリットの投影位置と交わるものも含む概念である。
【０００７】
特に、平面視方形状をなし、前記表材のスリットと前記裏材のスリットとを、ともに前記方形の互いに対向する辺及び／又は互いに隣接する辺を結ぶ線に沿って配置しているものであれば、前記表材のスリットと異なる位置に前記裏材にスリットを設けて床パネルが変形する箇所を増加させつつ、個々のスリットの長さを短くできるので表材及び裏材の剛性を確保できる。
【０００８】
さらに、前記表材のスリットと前記裏材のスリットとのいずれか一方を互いに対向する辺の中点を結ぶ線に沿って配置しているとともに、他方を互いに隣接する辺の中点を結ぶ線に沿って配置しているものであれば、床パネルはこれらのスリットにより８つの領域に区成され、これら８つの領域をそれぞれ建築床面に沿わせることができる。
【０００９】
このような床パネルを安定して取り付けるための態様として、前記表材のスリット及び前記裏材のスリットにより区成される各領域をそれぞれ支持可能に建築床面に接地する支持脚を設けているとともに、隅部に位置する前記支持脚の高さ寸法を他の支持脚の高さ寸法よりも大きくしているものが挙げられる。このようなものであれば、多数の支持脚を設け前記支持脚の高さ寸法を全て同一とした場合に、建築床面の不陸に起因して床パネルの幅方向あるいは奥行き方向中央部に位置する支持脚のみが接地することによって起こり得るがたつきの発生を抑えることができる。
【００１０】
前記表材のスリット及び前記裏材のスリットにより区成される領域の隅部に前記支持脚を設けているものであれば、上方から荷重を受ける場合に各領域がそれぞれ安定して支持される。
【００１１】
前記表材のスリットに沿って溝を前記裏材に形成しているものであれば、前記表材が前記裏材に向かう方向に張り出す際に、前記表材が前記裏材に当接して変形が妨げられる不具合の発生を抑えることができる。なお、この溝の底部にスリットを設けるようにしてもよい。
【００１２】
さらに、床パネルの表材及び裏材の剛性を確保しつつ建築床面の不陸によりきめ細かく対応するための他の態様として、平面視方形状をなし、スリットを設けた表材と、前記表材のスリットの投影位置とは異なる位置にスリットを設けた裏材とを重合させていて、前記表材のスリット及び前記裏材のスリットに沿って変形することにより建築床面の不陸に沿って置き敷くことを可能にしているものであって、前記表材のスリットと前記裏材のスリットとの少なくとも一方を、前記方形の互いに対向する辺及び／又は互いに隣接する辺を結ぶ線に沿って配置していることを特徴とするものが挙げられる。
【００１３】
また、建築床面の不陸によりきめ細かく対応するためのさらに他の態様として、平面視方形状をなし、スリットを設けた表材と、前記表材のスリットの投影位置に沿う位置にスリットを設けた裏材とを重合させていて、前記表材のスリット及び前記裏材のスリットに沿って変形することにより建築床面の不陸に沿って置き敷くことを可能にしていることを特徴とするものが挙げられる。このような構成であれば、前記表材及び前記裏材にそれぞれ設けたスリットの位置で床パネルが変形するので、前記表材及び前記裏材が同時に変形し、建築床面の大きな不陸にも対応しやすくなる。
【００１４】
特に、前記表材及び前記裏材の剛性を確保するための構成として、前記表材及び前記裏材のスリットを互いに対向する辺の中点を結ぶ線に沿って配置しているものが挙げられる。このように構成すれば、個々のスリットの長さを短くできるからである。
【００１５】
また、前記表材及び前記裏材のスリットを互いに隣接する辺の中点を結ぶ線に沿って配置しているものであっても、個々のスリットの長さを短くできるので、前記表材及び前記裏材の剛性を確保することができる。
【００１６】
さらに、前記表材及び前記裏材のスリットを互いに対向する辺の中点を結ぶ線及び互いに隣接する辺の中点を結ぶ線に沿って配置しているものであれば、床パネルはこれらのスリットにより８つの領域に区成され、これら８つの領域をそれぞれ建築床面に沿わせることができ、建築床面の不陸にさらにきめ細かく対応できるとともに、個々のスリットの長さを短くできるので、前記表材及び前記裏材の剛性を確保することもできる。
【００１７】
なお、「前記表材のスリットの投影位置に沿う位置にスリットを設けた裏材」とは、裏材のスリットの一部のみが表材のスリットの投影位置に沿うものも含む概念である。
【発明の効果】
【００１８】
本発明に係る床パネルを採用すると、前記表材のスリットに沿って床パネルが変形するとともに、前記裏材のスリットの位置でも床パネルが変形するので、床パネルが変形する箇所を増加させることができるとともに、表材及び裏材の一方のみにスリットを設ける態様と比較して、表材又は裏材の一方の強度が他方の強度と比較して低下する不具合の発生を抑えつつ、建築床面の不陸にきめ細かく対応させてがたつきをより効果的に抑えることができる。
【発明を実施するための最良の形態】
【００１９】
以下、本発明の一実施形態を、図面を参照して説明する。
【００２０】
本実施形態に係る床パネル１は、図１に斜視図、図２に平面図、図３に側面図、図４に分解斜視図をそれぞれ示すように、平面視正方形状をなし、スリット２ｓを設けた表材２と、前記表材２のスリット２ｓと異なる位置にスリット３ｓを設けた裏材３とからなり、前記表材２の裏面側と前記裏材３の表面側とを重合させているとともに、前記表材２のスリット２ｓ及び前記裏材３のスリット３ｓに沿って変形することにより建築床面Ｆの不陸に沿って置き敷くことを可能にしている。
【００２１】
具体的には、前記表材２は、板金加工により形成していて、平面図である図５、側面図である図６、及び前記図２〜図４にそれぞれ示すように、４つの辺２ａによって囲まれた平面視正方形状をなす面板部２０と、前記面板部２０の各辺２ａから垂下して設けた側縁部２１とを備えている。また、前記表材２のスリット２ｓは、互いに隣接する辺２ａの中点をそれぞれ結ぶ線に沿って配置している。また、前記側縁部２１の中央部には切り欠き２１ｓを設けていて、表材２がこの切り欠き２１ｓの上端を結ぶ線に沿って折れ曲がる変形を可能に構成している。なお、本実施形態においては、表材２が複数の部材に分割されないようにスリット２ｓを設けている。
【００２２】
一方、前記裏材３は、板金加工により形成していて、平面図である図７、側面図である図８、及び前記図２〜図４にそれぞれ示すように、４つの辺３ａによって囲まれた平面視正方形状をなしているとともに、前記表材２にその一部を接合される面板部３０と、四隅部に位置しこの床パネル１を支持する４つの第１支持脚３１と、各辺３ａの中央部及び平面視中央部に位置する第２支持脚３２とを備えている。なお、前記第１支持脚３１の下端３１ｘから後述する板面３ｂまでの高さ寸法は、第２支持脚３２の下端３２ｘから板面３ｂまでの高さ寸法よりも大きくしている。また、前記第１支持脚３１及び第２支持脚３２は、平面視中央部に位置する第２支持脚３２を除いて、プレス加工により面板部３０と一体的に設けられている。平面視中央部に位置する第２支持脚３２は、溶接により裏面側に取り付けるようにしている。
【００２３】
しかして、前記裏材３のスリット３ｓは、それぞれ対向する辺３ａの中央部を結ぶ線に沿って配置している。また、前記図７、前記図７におけるＡ−Ａ断端面図である図９、前記図７におけるＢ−Ｂ断端面図である図１０、前記図７におけるＣ−Ｃ断端面図である図１１、及び前記図７におけるＤ−Ｄ断端面図である図１２に示すように、前記面板部３０は、表材２の裏面に密接する板面３ｂと、強度を確保すべく絞り加工により溝状に形成された補強部とからなる。この補強部は、各辺３ａの周縁に沿う第一補強部３０１と、対向する辺３ａの中点を結ぶ線に沿う第二補強部３０２と、隣接する辺３ａの中点を結ぶ線に沿う第三補強部３０３と、これら第一〜第三補強部３０１〜３０３により区分される領域に設けられる平面視略三角形状をなす第四補強部３０４とからなる。すなわち、前記スリット３ｓは、第二補強部３０２の底部に設けている。また、前記第三補強部３０３は、請求項中の前記表材２のスリット２ｓに対応する位置に設けられた溝としての機能を有する。そして、前記第一〜第三補強部３０１〜３０３の境界は、第２支持脚３２が設けられた位置で連続している。なお、本実施形態においては、表材３が複数の部材に分割されないようにスリット３ｓを設けている。
【００２４】
すなわち、前記図１〜図３に示すように、前記表材２のスリット２ｓ及び前記裏材３のスリット３ｓによりこの床パネル１は８つの領域Ａに区成され、前記８つの領域Ａの隅部に、前記第１支持脚３１及び第２支持脚３２が位置している。
【００２５】
そして、この床パネル１の各辺１ａの中央部には、絞り加工により表材２の上方と裏材の面板部の下方とを連通する配線挿通口１ｘを形成していて、裏材の面板部の下方に形成される配線挿通空間に配設される電源ケーブルや情報ケーブル等の配線を、この配線挿通口から表材２の上方の空間に導出させるようにしている。
【００２６】
この床パネル１を建築床面Ｆに置き敷くと、前記表材２のスリット２ｓ及び前記裏材３のスリット３ｓに沿って変形し、前記８つの領域Ａが建築床面Ｆの不陸に沿うようになる。
【００２７】
この床パネル１に上方から荷重がかかった場合、また、建築床面Ｆに不陸が存在する場合には、前記領域Ａの上方からの荷重を前記第１支持脚３１及び第２支持脚３２又は複数の第２支持脚３２により３点支持する。
【００２８】
一方、建築床面Ｆに不陸がほとんど存在しない場合には、床パネル１に上方から荷重がかかる場合以外は、前記第１支持脚３１の下端３１ｘから板面３ａまでの高さ寸法を第２支持脚３２の下端３２ｘから板面３ａまでの高さ寸法よりも大きくしているので、前記第１支持脚３１のみが建築床面Ｆに接地する。
【００２９】
なお、本実施形態では、前記第１支持脚３１に下ボルト挿通孔３１ａを設けているとともに、表材２の前記第１支持脚３１に重合する部位にも上ボルト挿通孔２ｘを設けていて、建築床面Ｆの不陸が極端に大きく前記８つの領域Ａを建築床面Ｆの不陸に沿わせることが困難である場合には、これら上ボルト挿通孔２ｘ及び下ボルト挿通孔３１ａにボルトを挿通させて、挿通させたボルトを前記建築床体に固定するようにしている。
【００３０】
以上に述べたように、このように構成した床パネル１は、前記表材２のスリット２ｓに沿って変形するとともに、前記裏材３のスリット３ｓに沿っても変形するので、床パネル１が変形する箇所を増加させることができるとともに、表材２及び裏材３の一方に多数のスリットを設けて床パネル１が変形する箇所を増加させる態様と比較して、表材２及び裏材３に設けるスリット２ｓ、３ｓの箇所を少なくでき、表材２及び裏材３の剛性を確保できる。すなわち、剛性を損なうことなく建築床面Ｆの不陸にきめ細かく対応させてがたつきをより効果的に抑えることができる。
【００３１】
また、平面視正方形状をなし、前記表材２のスリット２ｓと前記裏材３のスリット３ｓとを、ともに前記正方形の対辺２ａ、３ａを結ぶ線に沿って配置しているので、前記表材２のスリット２ｓと異なる位置に前記裏材３にスリット３ｓを設けて床パネル１が変形する箇所を増加させつつ、個々のスリット２ｓ、３ｓの長さを前記方形の対角線上に設ける態様と比較して短くできるので表材２及び裏材３の剛性を確保できる。
【００３２】
さらに、前記裏材３のスリット３ｓを互いに対向する辺３ａの中点を結ぶ線に沿って配置しているとともに、前記表材２のスリット２ｓを互いに隣接する辺２ａの中点を結ぶ線に沿って配置しているので、床パネル１はこれらのスリット２ｓ、３ｓにより８つの領域Ａに区成され、これら８つの領域Ａをそれぞれ建築床面Ｆに沿わせることができる。
【００３３】
上方から荷重を受ける場合に前記表材２のスリット２ｓ及び前記裏材３のスリット３ｓにより区成される各領域Ａをそれぞれ支持可能に建築床面Ｆに接地する第１支持脚３１及び第２支持脚３２を設けているとともに、前記第１支持脚３１の下端３１ｘから板面３ａまでの高さ寸法を第２支持脚３２の下端３２ｘから板面３ａまでの高さ寸法よりも大きくしているので、建築床面の不陸により前記第２支持脚３２のみが接地した場合に起こり得るがたつきの発生を抑えることができる。従って、このような床パネル１を安定して取り付けることができる。
【００３４】
前記表材２のスリット２ｓ及び前記裏材３のスリット３ｓにより区成される領域Ａの隅部に前記第１支持脚３１及び第２支持脚３２、又は複数の第２支持脚３２が位置しているので、上方から荷重を受ける場合に各領域Ａがそれぞれ安定して支持される。
【００３５】
前記表材２の裏面と前記裏材３の板面３ｂとを密接させるようにしていて、前記表材２のスリット２ｓに沿って第三補強部（溝）３０３を前記裏材３に形成しているので、前記裏材３により前記表材２が前記裏材３に向かう方向に張り出すように変形することが妨げられる不具合の発生を抑えることができる。
【００３６】
なお、本発明は以上に述べた実施形態に限られない。
【００３７】
例えば、支持脚を設ける位置は、表材のスリット及び裏材のスリットにより区成される領域を安定して保持できるようにしていれば、該領域の隅部以外に位置させてもよい。
【００３８】
また、上述した実施形態における第１支持脚３１は、床パネル１の隅部に限らず、例えば中央部にも第２支持脚３２に代えて第１支持脚３１を設けてもよい。
【００３９】
それ以外にも、例えば平面視方形状をなし、表材のスリット及び裏材のスリットをともに方形の互いに対向する辺を１対２に分割する点同士を結びこれら対向する辺に平行に延びる線に沿って配置しているとともに、これら表材及び裏材をスリットが互いに重合しないように配置して重合させる態様等、種々の態様が考えられる。
【００４０】
加えて、表材及び裏材のスリットは、互いに重合する位置に形成するようにしてもよい。このようにしても、前記表材及び前記裏材にそれぞれ設けたスリットの位置で床パネルが変形するので、前記表材及び前記裏材が同時に変形し、建築床面の大きな不陸にも対応しやすくなる。
【００４１】
このような床パネルの一例として、図１３の（ａ）に平面図、同図の（ｂ）に分解斜視図をそれぞれ示すように、スリット２２ｓを互いに対向する辺２２ａの中点を結ぶ線に沿って配置した表材２２と、スリット３３ｓを互いに対向する辺３３ａの中点を結ぶ線に沿って配置した裏材３３とを重合させて形成しているとともに、表材２２及び裏材３３に形成したスリット２２ｓ、３３ｓをも互いに重合させた床パネル１１が考えられる。このような床パネル１１においては、個々のスリット２２ｓ、３３ｓの長さを前記表材２２及び前記裏材３３の対角線に沿って配置した場合と比較して短くでき、前記表材２２及び前記裏材３３の剛性を確保することができる。
【００４２】
また、このような床パネルの他の一例として、図１４の（ａ）に平面図、同図の（ｂ）に分解斜視図をそれぞれ示すように、スリット２００ｓを互いに隣接する辺２００ａの中点を結ぶ線に沿って配置した表材２００と、スリット３００ｓを互いに隣接する辺３００ａの中点を結ぶ線に沿って配置した裏材３００とを重合させて形成しているとともに、表材２００及び裏材３００に形成したスリット２００ｓ、３００ｓをも互いに重合させた床パネル１００が考えられる。このような床パネル１００においては、個々のスリット２００ｓ、３００ｓの長さを前記表材２００及び前記裏材３００の対角線に沿って配置した場合と比較して短くでき、前記表材２００及び前記裏材３００の剛性を確保することができる。
【００４３】
そして、このような床パネルのさらに他の一例として、図１５の（ａ）に平面図、同図の（ｂ）に分解斜視図をそれぞれ示すように、スリット２２２ｓを互いに対向する辺２２２ａの中点を結ぶ線及び互いに隣接する辺２２２ａの中点を結ぶ線に沿って配置した表材２２２と、スリット３３３ｓを互いに対向する辺３３３ａの中点を結ぶ線及び互いに隣接する辺３３３ａの中点を結ぶ線に沿って配置した裏材３３３とを重合させて形成しているとともに、表材２２２及び裏材３３３に形成したスリット２２２ｓ、３３３ｓをも互いに重合させた床パネル１１１が考えられる。このような床パネル１１１は、前記スリット２２２ｓ、３３３ｓにより８つの領域ＡＡに区成され、これら８つの領域ＡＡをそれぞれ建築床面に沿わせることができ、建築床面の不陸にさらにきめ細かく対応できるとともに、個々のスリット２２２ｓ、３３３ｓの長さを前記表材２２２及び前記裏材３３３の対角線に沿って配置した場合と比較して短くできるので、前記表材２２２及び前記裏材３３３の剛性を確保することもできる。
【００４４】
なお、前記スリット２２ｓ、３３ｓ、２００ｓ、３００ｓ、２２２ｓ、３３３ｓは、間欠的に設けてもよいし、連続させて設けてもよい。
【００４５】
その他、各部の具体的構成についても上記実施形態に限られるものではなく、本発明の趣旨を逸脱しない範囲で種々変形が可能である。
【図面の簡単な説明】
【００４６】
【図１】本発明の一実施形態に係る床パネルの全体斜視図。
【図２】同実施形態に係る床パネルの表材の平面図。
【図３】同実施形態に係る床パネルの表材の側面図。
【図４】同実施形態に係る床パネルの分解斜視図。
【図５】同実施形態に係る床パネルの表材の平面図。
【図６】同実施形態に係る床パネルの表材の側面図。
【図７】同実施形態に係る床パネルの裏材の平面図。
【図８】同実施形態に係る床パネルの裏材の側面図。
【図９】図７におけるＡ−Ａ断端面図。
【図１０】図７におけるＢ−Ｂ断端面図。
【図１１】図７におけるＣ−Ｃ断端面図。
【図１２】図７におけるＤ−Ｄ断端面図。
【図１３】本発明の他の実施形態に係る床パネルの平面図及び分解斜視図。
【図１４】本発明の他の実施形態に係る床パネルの平面図及び分解斜視図。
【図１５】本発明の他の実施形態に係る床パネルの平面図及び分解斜視図。
【符号の説明】
【００４７】
１、１１、１００、１１１…床パネル
２、２２、２００、２２２…表材
２ｓ、２２ｓ、２００ｓ、２２２ｓ…表材のスリット
３、３３、３００、３３３…裏材
３ｓ、３３ｓ、３００ｓ、３３３ｓ…裏材のスリット
３０３…第三補強部（溝）
３１…第１支持脚
３２…第２支持脚
Ｆ…建築床面
【図１】
2005133516.tif 000003
【図２】
2005133516.tif 000004
【図３】
2005133516.tif 000005
【図４】
2005133516.tif 000006
【図５】
2005133516.tif 000007
【図６】
2005133516.tif 000008
【図７】
2005133516.tif 000009
【図８】
2005133516.tif 000010
【図９】
2005133516.tif 000011
【図１０】
2005133516.tif 000012
【図１１】
2005133516.tif 000013
【図１２】
2005133516.tif 000014
【図１３】
2005133516.tif 000015
【図１４】
2005133516.tif 000016
【図１５】
2005133516.tif 000017